(57)【要約】  【課題】監視カメラおよび監視カメラシステムにおいて、画像伝送装置の電源部の電力残量に応じて伝送量を制御することで長時間の画像伝送を提供することにある。  【解決手段】  撮像部と、該撮像部からの画像信号を処理する画像信号処理部と、該画像信号処理部からの画像データを伝送する画像データ伝送部と、前記撮像部、前記画像信号処理部および前記画像データ伝送部への電力を供給する電源部と、該電源部の電力残量を検出する電力容量検出手段および前記撮像部、前記画像信号処理部および前記画像データ伝送部をそれぞれ制御する制御部からなり、前記電力容量検出手段の信号に基づいて少なくとも前記撮像部、前記画像信号処理部および前記画像データ伝送部のいずれか１つを制御することを特徴とする監視カメラ。  【選択図】  図１
2005109801.tif 000002
【特許請求の範囲】
【請求項１】
撮像部と、該撮像部からの画像信号を処理する画像信号処理部と、該画像信号処理部からの画像データを伝送する画像データ伝送部と、前記撮像部、前記画像信号処理部および前記画像データ伝送部への電力を供給する電源部と、該電源部の電力残量を検出する電力容量検出手段および前記撮像部、前記画像信号処理部および前記画像データ伝送部をそれぞれ制御する制御部からなり、前記電力容量検出手段の信号に基づいて少なくとも前記撮像部、前記画像信号処理部および前記画像データ伝送部のいずれか１つを制御することを特徴とする監視カメラ装置。
【請求項２】
請求項１に記載の監視カメラ装置において、前記電源部は発電部と蓄電部で構成されていることを特徴とする監視カメラ装置。
【請求項３】
請求項１に記載の監視カメラ装置において、更に、メモリ部を有し、前記メモリ部は、前記制御部が前記電力容量検出手段の信号に基づいて少なくとも前記撮像部、前記画像信号処理部および前記画像データ伝送部のいずれか１つを制御するためのメモリテーブルを記録していることを特徴とする監視カメラ装置。
【請求項４】
監視カメラ装置と制御端末装置を有する監視カメラシステムにおいて、前記カメラ装置は、撮像部と、該撮像部からの画像信号を処理する画像信号処理部と、該画像信号処理部からの画像データを伝送する画像データ伝送部と、前記撮像部、前記画像信号処理部および前記画像データ伝送部への電力を供給する電源部と、該電源部の電力残量を検出する電力容量検出手段および前記撮像部、前記画像信号処理部および前記画像データ送信部をそれぞれ制御する制御部からなり、前記電力容量検出手段の信号に基づいて少なくとも前記撮像部、前記画像信号処理部および前記画像データ伝送部のいずれか１つを制御すると共に、
前記制御端末装置は、前記画像データ伝送部から伝送される画像データを受信する受信部と、該受信部からの画像データを処理するデータ処理部と、該データ処理部からの画像データを表示する表示部および前記監視カメラ装置の制御用データを入力する操作部を有することを特徴とする監視カメラシステム。
【請求項５】
請求項４に記載の監視カメラシステムにおいて、前記監視カメラ装置は、更に、第１の記憶部を有し、前記第１の記憶部が前記電力容量検出手段の信号に基づいて少なくとも前記撮像部、前記画像信号処理部および前記画像データ伝送部のいずれか１つを制御するためのメモリテーブルを記録していることを特徴とする監視カメラシステム。
【請求項６】
請求項５に記載の監視カメラシステムにおいて、前記制御端末装置のデータ処理部は、第２の記憶部を有し、該第２の記憶部に前記撮像部、前記画像信号処理部および前記画像データ伝送部のいずれか１つを制御するためのメモリテーブルを記憶していることを特徴とする監視カメラシステム。
【請求項７】
請求項６に記載の監視カメラシステムにおいて、前記操作部は、前記第２の記憶部のメモリテーブルを書き換えまたは修正すると共に、前記第１の記憶部のメモリテーブルを書き換えまたは修正することを特徴とする監視カメラシステム。
【発明の詳細な説明】
【技術分野】
【０００１】
本発明は、監視カメラおよび監視カメラシステムに関し、特に電源部の電力残量により画像データの伝送量を制御する監視カメラおよび監視カメラシステムに関するものである。
【背景技術】
【０００２】
従来、監視カメラシステムにおいて、監視カメラの電源に蓄電装置を使用している場合がある。この場合にも商用電源使用タイプと同様に送出する画像の撮像間隔、圧縮率や送出間隔を予め設定した設定値で送出を行っていた（例えば、特許文献１参照。）。
【特許文献１】特開平１０−３２２６８５号公報
【発明の開示】
【発明が解決しようとする課題】
【０００３】
前述の従来技術には、蓄電装置の電力残量に関係なく映像信号を送出していたため、電力がなくなった時点で急に送出が停止する欠点があった。
本発明は、電力残量も加味して、監視カメラの制御を行い、画像伝送時間を長くすることを目的とする。
【課題を解決するための手段】
【０００４】
本発明は上述の課題を解決するために、撮像部と、該撮像部からの画像信号を処理する画像信号処理部と、該画像信号処理部からの画像データを伝送する画像データ伝送部と、前記撮像部、前記画像信号処理部および前記画像データ伝送部への電力を供給する電源部と、該電源部の電力残量を検出する電力容量検出手段および前記撮像部、前記画像信号処理部および前記画像データ伝送部をそれぞれ制御する制御部からなり、前記電力容量検出手段の信号に基づいて少なくとも前記撮像部、前記画像信号処理部および前記画像データ伝送部のいずれか１つを制御する監視カメラ装置である。
【０００５】
また、本発明の監視カメラ装置において、前記電源部は発電部と蓄電部で構成されている。
また、本発明の監視カメラ装置において、更に、メモリ部を有し、前記メモリ部は、前記制御部が前記電力容量検出手段の信号に基づいて少なくとも前記撮像部、前記画像信号処理部および前記画像データ伝送部のいずれか１つを制御するためのメモリテーブルを記録している。
【０００６】
また、本発明の監視カメラ装置と制御端末装置を有する監視カメラシステムにおいて、前記カメラ装置は、撮像部と、該撮像部からの画像信号を処理する画像信号処理部と、該画像信号処理部からの画像データを伝送する画像データ伝送部と、前記撮像部、前記画像信号処理部および前記画像データ伝送部への電力を供給する電源部と、該電源部の電力残量を検出する電力容量検出手段および前記撮像部、前記画像信号処理部および前記画像データ送信部をそれぞれ制御する制御部からなり、前記電力容量検出手段の信号に基づいて少なくとも前記撮像部、前記画像信号処理部および前記画像データ伝送部のいずれか１つを制御すると共に、
前記制御端末装置は、前記画像データ伝送部から伝送される画像データを受信する受信部と、該受信部からの画像データを処理するデータ処理部と、該データ処理部からの画像データを表示する表示部および前記監視カメラ装置の制御用データを入力する操作部を有する。
【０００７】
また、本発明の監視カメラシステムにおいて、前記監視カメラ装置は、更に、第１の記憶部を有し、前記第１の記憶部が前記電力容量検出手段の信号に基づいて少なくとも前記撮像部、前記画像信号処理部および前記画像データ伝送部のいずれか１つを制御するためのメモリテーブルを記録している。
【０００８】
また、本発明の監視カメラシステムにおいて、前記制御端末装置のデータ処理部は、第２の記憶部を有し、該第２の記憶部に前記撮像部、前記画像信号処理部および前記画像データ伝送部のいずれか１つを制御するためのメモリテーブルを記憶している。
【０００９】
また、本発明の監視カメラシステムにおいて、前記操作部は、前記第２の記憶部のメモリテーブルを書き換えまたは修正すると共に、前記第１の記憶部のメモリテーブルを書き換えまたは修正するものである。
【発明の効果】
【００１０】
本発明によれば、蓄電装置の電力残量に応じて監視カメラの撮像間隔、画像圧縮率や送出間隔を制御することで、限られた電力容量で長時間の画像伝送ができる。
【発明を実施するための最良の形態】
【００１１】
以下、本発明による監視カメラの実施の形態について図１を用いて説明する。図１は、本発明の一実施例の概略構成を示すブロック図である。
図１において、１０１は画像を送出するための監視カメラである。１０５は電源部であり、例えば発電部と蓄電部で電源部が構成されている。発電部は例えば太陽電池等の自立型発電装置であり、蓄電部は例えばバッテリー等の蓄電装置である。１０６は、蓄電部の残量を検出する電力容量検出部である。尚、電源部１０５は、蓄電装置のみで構成することもできる。
【００１２】
１０２は、テレビカメラ等の撮像部であり、１０３は撮像部１０２から出力される映像信号を例えば画像圧縮処理する画像信号処理部である。
１０４は、画像信号処理部１０３で画像処理された映像信号を送出するための画像データ伝送部である。
【００１３】
１０７は、電力容量検出部１０６から出力される電源部１０５の電力残量に基づき撮像部１０２の撮像間隔や画像信号処理部１０３の画像圧縮率や画像データ伝送部１０４の画像データ送出間隔等を制御する制御部である。
【００１４】
１０８は、制御部１０７で制御する撮像間隔及び画像圧縮率並びに送出間隔等の制御条件を格納するメモリ部である。
このような構成にすることにより、電源部の電力残量に応じて監視カメラの撮像間隔、画像圧縮率や送出間隔を制御することができ、限られた電力容量で長時間の画像伝送ができる。
【実施例１】
【００１５】
以下、本発明による監視カメラの実施例について図１を用いて説明する。図１は、本発明の一実施例の概略構成を示すブロック図である。
図１において、１０１は画像を送出するための監視カメラである。１０５は電源部であり、例えば発電部と蓄電部で電源部が構成されている。発電部は例えば太陽電池等の自立型発電装置であり、蓄電部は例えばバッテリー等の蓄電装置である。１０６は、蓄電部の残量を検出する電力容量検出部である。尚、電源部１０５は、蓄電装置のみで構成することもできる。
【００１６】
１０２は、テレビカメラ等の撮像部であり、１０３は撮像部１０２から出力される映像信号を例えば画像圧縮処理する画像信号処理部である。
１０４は、画像信号処理部１０３で画像処理された映像信号を送出するための画像データ伝送部である。
【００１７】
１０７は、電力容量検出部１０６から出力される電源部１０５の電力残量に基づき撮像部１０２の撮像間隔や画像信号処理部１０３の画像圧縮率や画像データ伝送部１０４の画像データ送出間隔等を制御する制御部である。
【００１８】
１０８は、制御部１０７で制御する撮像間隔及び画像圧縮率並びに送出間隔等の制御条件を格納するメモリ部である。
次に、本発明の動作について詳細に説明する。
【００１９】
図１において、監視カメラ１０１内の撮像部１０２で撮影した画像は画像信号処理部１０３で画像データとなり、画像データ伝送部１０４から送出される。使用する電力は電源部１０５内の発電部１０５で発電し、余った電力は発電部１０５内の蓄電部に蓄える。夜間等電源部１０５内の発電部で発電しない時は電源部１０５内の蓄電部で蓄えてある電力を使用する。電源部１０５内の蓄電部の電力容量は常に電力容量検出部１０６で監視し、電力容量検出部１０６の検出結果は制御部１０７に出力する。制御部１０７は電力容量検出部１０６から出力された検出結果とメモリ部１０８例えばＥＥＰＲＯＭに予め格納してある制御条件に応じて、撮像部１０２の撮像間隔と画像信号処理部１０３の画像圧縮率と画像データ伝送部１０４の画像データ送出間隔を制御する。
【００２０】
また、画像データ伝送部１０４は、出力する伝送路により有線、無線、ネットワークおよび光ファイバー等に合致させた画像データ１０９を送出する。
電力容量検出部１０６は、電源部１０５の出力電圧を検出することによって、電力残量を計測することができる。即ち、例えば、電力残量と電圧の関係の一例を図３に示す。
【００２１】
電力残量Ｐと電圧Ｖの関係が図３に示す特性の時、電圧１２．０Ｖのときは電力残量Ｐが１００％となり、電圧９．６Ｖのときは電力残量Ｐが８０％となり、電圧７．２Ｖのときは電力残量Ｐが６０％となる。このように電圧を検出することで電力残量Ｐを知ることができる。
【００２２】
制御条件の設定値をメモリテーブルと呼び、その一例を図４に示す。
メモリ部１０８に格納するメモリテーブルは、電力残量１００％時に撮像間隔を３０回／秒、画像圧縮率を１／１０、送出間隔を３０回／分と設定し、次に、電力残量９５％時に撮像間隔を２０回／秒、画像圧縮率を１／２０、送信間隔を２０回／分と設定する。
【００２３】
電力残量１００％のメモリテーブルが、撮像間隔３０回／秒、画像圧縮率１／１０、送出間隔３０回／分で消費電力１００％とすると、電力残量９５％以上の設定値が、撮像間隔を２０回／秒、画像圧縮率を１／２０、送出間隔を２０回／分にした場合、各々の低減率がそのまま消費電力低減率になるとすると消費電力は２２％となる。
【００２４】
このように電力残量毎にメモリテーブルを設定しておくことで、電力残量が１００％から９５％に低下した場合、監視カメラ１０１の消費電力は２２％に下げることができる。
ここで撮像間隔変更の一例について図５を使用して説明する。先に説明したように、制御部１０７は、電源部１０５の電力残量に応じ撮像部１０２の撮像間隔を制御することを説明した。これについて図５を用いて説明する。例えば、制御部１０７が電力容量検出部１０６から電力残量１００％の検出信号を受けると、制御部１０７は、メモリ部１０８のメモリテーブル（図４に示す）から撮像間隔３０回／秒を読出し、これに基づいて撮像部１０２を制御する。即ち、図５の撮像間隔３０回／秒では、１／３０秒毎に１、２、３、４、・・・と画像出力を行なうように制御する。
【００２５】
次に、制御部１０７が電力容量検出部１０６から例えば、電量残量９６％の検出信号を受けると制御部１０７は、メモリ部１０８のメモリテーブルから撮像間隔２０回／秒を読出し、これに基づいて、撮像部１０２を図５で示す撮像間隔２０回／秒のように制御する。即ち、１／３０秒の画像を１、２、４、５、７・・・のように３画像のうち２画像を送出するように撮像部１０２を制御する。
【００２６】
また、画像信号処理部１０３は以下のように制御される。制御部１０７は、前述と同様に電力容量検出部１０６からの検出信号に基づき図４のメモリテーブルを参照し、画像圧縮率を例えば、ＪＰＥＧ（Ｊｏｉｎｔ  Ｐｈｏｔｏｇｒａｐｈｉｃ  Ｃｏｄｉｎｇ  Ｅｘｐｅｒｔｓ  Ｇｒｏｕｐ）方式を使用して電力残量Ｐが１００％では、画像を１／１０に圧縮し、また電力残量Ｐが９６％では画像を１／２０に圧縮する。
【００２７】
更に、画像データ伝送部１０４については、以下のように制御される。即ち、前述と同様に制御部１０７は、例えば、電力残量Ｐが１００％では、図６の画像データ送出間隔３０回／分のように２秒に１回の割合で、画像データを送出するように画像データ伝送部１０４を制御する。また、電力残量Ｐが９６％では、図６の画像データ送出間隔２０回／分のように３秒に１回の割合で、画像データを送出するように画像データ伝送部１０４を制御する。
【実施例２】
【００２８】
次に、本発明の他の一実施例を図２で説明する。図２は本発明の他の一実施例を示す監視カメラシステムのブロック図である。
図２において、監視カメラ１１２内の撮像部１０２で撮影した画像は画像信号処理部１０３で画像データとなり、画像データ伝送部１０４から送出される。使用する電力は電源部１０５内の発電部１０５で発電し、余った電力は発電部１０５内の蓄電部に蓄える。夜間等電源部１０５内の発電部で発電しない時は電源部１０５内の蓄電部で蓄えてある電力を使用する。電源部１０５内の蓄電部の電力容量は常に電力容量検出部１０６で監視し、電力容量検出部１０６の検出結果は制御部１１１に出力する。制御部１１１は電力容量検出部１０６から出力された検出結果とメモリ部１０８例えばＥＥＰＲＯＭに予め格納してある制御条件に応じて、撮像部１０２の撮像間隔と画像信号処理部１０３の画像圧縮率と画像データ伝送部１０４の画像データ送出間隔を制御する。
【００２９】
また、画像データ伝送部１０４は、出力する伝送路により有線、無線、ネットワークおよび光ファイバー等に合致させた画像データ１０９を送出する。以上の構成は、図１に示す実施例と同様であり、その動作も図１に示すものと同様であるので、詳細な説明は省略する。
【００３０】
次に２０１は、監視カメラ１１２から送出する画像データ１０９を受信する制御端末である。
制御端末２０１は、監視カメラ１１２から送出される画像データ１０９を画像データ受信部２０２で受信し、データ処理部２０３は画像表示部２０４で表示可能な信号に変換し、画像表示部２０４で画像を表示する。
【００３１】
また、制御端末２０１は、監視カメラ１１２のメモリ部１０８に格納するメモリテーブルにデータを送信したり、データを修正したり、更新したりする機能も有している。監視カメラ１１２のメモリ部１０８に格納するメモリテーブルは、制御端末２０１の操作部２０５例えばキーボードからデータ処理部２０３に入力し、データ処理部２０３で制御データを生成し、制御データ送信部２０７から出力する伝送路により有線、無線、ネットワークおよび光ファイバー等に合致させた制御データ２０８を送出する。
【００３２】
制御端末２０１から送出した制御データ２０８は、監視カメラ１１２の制御データ受信部１１０で受信し、制御部１１１を介してメモリ部１０８に入力する。
このような構成にすることで、制御条件の設定値の一例を図４に示すように、制御端末２０１から監視カメラ１１２のメモリ部１０８に格納するメモリテーブルを電力残量１００％時に、撮像間隔を３０回／秒、画像圧縮率を１／１０、送信間隔を３０回／分に設定することが可能となる。
【００３３】
また、制御端末２０１内のデータ処理部２０３は、監視カメラ１１２のメモリ部１０８に格納してあるメモリテーブルと同じ情報のメモリテーブルがある。メモリ部１０８に格納してあるメモリテーブルの変更は、データ処理部２０３内のメモリテーブルを操作部２０５から変更し、変更内容は画像表示部２０４で確認することができる。データ処理部２０３で変更したメモリテーブルは、制御データ送信部２０７から出力する伝送路により有線、無線、ネットワークおよび光ファイバー等に合致させた制御データ２０８を送出する。制御端末２０１から送出した制御データ２０８は、監視カメラ１１２の制御データ受信部１１０で受信し、制御部１１１を介してメモリ部１０８に入力しメモリテーブルを修正あるいは更新する。
【実施例３】
【００３４】
次に、本発明の更に他の一実施例を図７で説明する。図７は本発明の一実施例を示す監視カメラシステム図である。
図７において、１１２−１、１１２−２、・・・、１１２−Ｎ（Ｎは自然数）はＮ台の監視カメラであり、７０１は監視事務所である。監視カメラ装置１１２−１から監視カメラ装置１１２−ＮのＮ台は監視事務所７０１とＮ個の１０９の画像データおよびＮ個の２０８の制御データで接続されている。Ｎ台の監視カメラ装置１１２から出力されるＮ個の画像データ１０９は、監視事務所７０９の画像データ受信部７０２で受信し、データ処理部７０３は画像表示部７０４で表示可能な信号に変換し、画像表示部７０４で画像を表示する。更にデータ処理部７０３はＮ台の監視カメラ１１２の撮像間隔及び画像圧縮率並びに送出間隔等を制御するためのＮ個の制御データを７０５の操作部から入力し、７０７の制御データ送信部からＮ個の制御データ２０８を送出する。
【００３５】
次に、本発明の動作について説明する。
監視カメラ装置１１２−１から監視カメラ装置１１２−ＮのＮ台から出力される画像データ１０９−１から画像データ１０９−Ｎは、監視事務所７０１の画像データ受信部７０２で受信し、画像表示部７０４で表示可能な信号にするためデータ処理部７０３で信号変換して画像表示部７０４で画像を表示する。監視カメラ装置１１２から出力する画像データ１０９は、伝送路により有線、無線、ネットワークおよび光ファイバー等に合致させた画像データ１０９を送出する。
【００３６】
監視カメラ装置１１２−１から監視カメラ装置１１２−ＮのＮ台の撮像間隔及び画像圧縮率並びに送出間隔等を制御するためのＮ個の制御データ２０８は、操作部７０５からデータをデータ処理部７０３に入力し、データ処理部７０３から制御データ送信部７０７を介してＮ台の監視カメラ装置１１２に入力する。制御データ送信部７０７から出力するＮ個の制御データ２０８は、伝送路により有線、無線、ネットワークおよび光ファイバー等に合致させたＮ個の制御データ２０８を送出する。この制御データ２０８は、各監視カメラの制御部１１１を介して、メモリ部１０８に送られ、例えば、図４に示すメモリテーブルの内容を修正したり、更新したりすることができる。また、各監視カメラに設けられているメモリテーブルの内容は、図４に示した内容に限定されるものではなく、各監視カメラの使用条件等に応じて、適宜変更されることは言うまでもない。
【００３７】
以上本発明について詳細に説明したが、本発明は、ここに記載された監視カメラおよび監視カメラシステムに限定されるものではなく、上記以外のカメラ装置およびカメラシステムに広く適用することができることは言うまでもない。
【図面の簡単な説明】
【００３８】
【図１】本発明の一実施例を示す監視カメラのブロック図。
【図２】本発明の他の一実施例を示す監視カメラシステムのブロック図。
【図３】電力残量と電圧の関係を示す一例。
【図４】本発明の制御条件の設定値を示す一例。
【図５】本発明の撮像間隔を制御する一例。
【図６】本発明の画像データ送出間隔を制御する一例。
【図７】本発明の更に他の一実施例を示す監視カメラシステム図。
【符号の説明】
【００３９】
１０１：監視カメラ、１０２：撮像部、１０３：画像信号処理部、１０４：画像データ伝送部、１０５：電源部、１０６：電力容量検出部、１０７：制御部、１０８：メモリ部、１０９：画像データ、１１０：制御データ受信部、１１１：制御部、１１２：監視カメラ、２０１：制御端末、２０２：画像データ受信部、２０３：データ処理部、２０４：画像表示部、２０５：操作部、２０７制御データ送信部、２０８：制御データ、７０１：監視事務所、７０２：画像データ受信部、７０３：データ処理部、７０４：画像表示部、７０５：操作部、７０７：制御データ送信部。
【図１】
2005109801.tif 000003
【図２】
2005109801.tif 000004
【図３】
2005109801.tif 000005
【図４】
2005109801.tif 000006
【図５】
2005109801.tif 000007
【図６】
2005109801.tif 000008
【図７】
2005109801.tif 000009